(57)【特許請求の範囲】
【請求項１】
引き込み装置、特に引き出し、引き戸若しくは開き戸等のための引き込み装置であって、ばね（１４）によりばね力が作用されるようになっている連結片（１３）を有しており、該連結片は、引き込み位置と送り出し位置との間で移動可能になっている形式のものにおいて、前記連結片（１３）に、押し出し装置（２０）が間接的に若しくは直接に連結されるようになっており、前記押し出し装置（２０）のスライド片（２１）が、該押し出し装置（２０）の操作に際して移動されるようになっていることを特徴とする引き込み装置。
【請求項２】
ダンパー（１２）が、前記送り出し位置から前記引き込み位置への前記連結片（１３）の移動運動を減衰するようになっている請求項１に記載の引き込み装置。
【請求項３】
前記連結片（１３）は、前記送り出し位置において、操作装置（切欠き部（１１．２１）、案内（１１．２）、連行体（１３．４））を用いて駐留位置に保持されており、該駐留位置において、前記スライド片（２１）は前記連結片（１３）に対して相対的に移動可能になっている請求項１又は２に記載の引き込み装置。
【請求項４】
前記スライド片（２１）は、押し込み位置と押し出し位置との間で移動可能になっている請求項１から３のいずれか１項に記載の引き込み装置。
【請求項５】
前記押し出し装置（２０）は、ばね要素（２２）を有しており、該ばね要素（２２）は、前記スライド片（２１）に押し込み位置で荷重を掛けている請求項１から４のいずれか１項に記載の引き込み装置。
【請求項６】
前記押し出し装置（２０）は、前記押し込み位置の解消のための過行程機構を有している請求項１から５のいずれか１項に記載の引き込み装置。
【請求項７】
前記押し出し装置（２０）は、支持体（３１）を有しており、前記押し出し位置から前記押し込み位置への前記スライド片（２１）の移動に際して、ラッチ（３３）又は制御要素（３５）が有効になり、該ラッチ（３３）又は制御要素（３５）は、前記支持体（３１）に対する前記スライド片（２１）の相対的な移動を可能にしている請求項１から６のいずれか１項に記載の引き込み装置。
【請求項８】
前記スライド片（２１）は、前記押し込み位置ではロック片（３９）を用いてロックされている請求項１から７のいずれか１項に記載の引き込み装置。
【請求項９】
前記押し出し装置（２０）の制御要素（３５）が、前記引き出しの閉鎖に際して、前記押し出し装置（２０）の押し出し位置から押し込み位置への所定の位置で、外枠に組み付けられる遮断要素（４４）によりロックされるようになっている請求項１から８のいずれか１項に記載の引き込み装置。
【請求項１０】
前記制御要素（３５）は、前記押し出し装置（２０）の押し込み位置を、連結片（１３）の、ばね（１４）により生ぜしめられる移動の少なくとも部分領域において確保するようになっている請求項９に記載の引き込み装置。
【請求項１１】
前記制御要素（３５）は、押し出し装置（２０）の係止解除のために、引き込み位置から支持部分（４７）に対して移動可能になっている請求項９又は１０に記載の引き込み装置。
【請求項１２】
引き出し若しくは類似のものを操作するための方法において、引き出しの閉鎖位置で押し出し装置（２０）を始動し、該押し出し装置によって前記引き出しを前記閉鎖位置から部分開放位置へ移動させ、次いで、前記部分開放位置からの前記引き出しの移動に際して、ばね（１４）に応力を発生させることを特徴とする、引き出し等の操作のための方法。
【請求項１３】
前記部分開放位置からの前記引き出しの開放中に、連結片（１３）が、引き込み位置から引き出し位置へ移され、該引き出し位置の達成に際して、前記連結片（１３）は、駐留位置へ移され、かつ前記押し出し装置（２０）と前記連結片（１３）との間の連結が解除される請求項１２に記載の方法。
【請求項１４】
前記閉鎖位置からの前記押し出し装置（２０）の始動のために、過行程機構が操作される請求項１２又は１３に記載の方法。
【請求項１５】
開かれた位置若しくは部分的に開かれた位置から閉鎖位置に向かう方向での前記引き出しの移動に際して、前記押し出し装置（２０）は該押し出し装置の押し出し位置から押し込み位置へ移される請求項１２から１４のいずれか１項に記載の方法。
【請求項１６】
前記押し出し装置（２０）は、前記ばね（１４）を用いて前記引き出しの閉鎖位置へ引っ張られ、かつ同時にダンパー（１２）を用いて制動される請求項１２から１５のいずれか１項に記載の方法。
【請求項１７】
前記押し出し装置（２０）は、引き出し等の閉鎖に際して、制御要素（３５）と共に遮断要素（４４）に向かって移動させられる請求項１２から１６のいずれか１項に記載の方法。
【請求項１８】
前記制御要素（３５）は、外枠の内側で前記遮断要素（４４）上を走行させられる請求項１７に記載の方法。
【請求項１９】
前記押し出し装置（２０）は、前記連結片（１３）が前記ばね（１４）により引き込まれる直前に、押し出し位置から押し込み位置へ移される請求項１３に記載の方法。
【請求項２０】
前記方法は、請求項１から１１のいずれか１項に記載の引き込み装置に用いられる請求項１２から１９のいずれか１項に記載の方法。
【発明の詳細な説明】
【技術分野】
【０００１】
本発明は、引き込み装置に関し、特に、引き出し、引き戸若しくは開き戸又は旋回式戸或いは開き窓又は旋回式窓等のための引き込み装置であって、ばねによりばね力が作用されるようになっている連結片を有しており、該連結片は、引き込み位置と送り出し位置との間で移動可能になっている形式のものに関する。更に、本発明は、引き出し等若しくは引き戸若しくは開き戸又は旋回式戸或いは開き窓又は旋回式窓等の操作のための方法に関する。
【０００２】
ドイツ連邦共和国特許出願公開第１０２００７００８６８８Ａ１号明細書により、引き出しのための引き込み装置が公知である。公知の引き込み装置は、連結器又は連結片として傾倒部材を有しており、傾倒部材（旋回部材）は、引き出しの開放に際して、ばねの応力に抗して引き込み位置から走出位置へ移動させられるようになっている。この場合に、傾倒部材は連行体によって移動させられるようになっている。傾倒部材が走出位置に達すると、傾倒部材は連行体との係合を解除し、引き出しは、惰性により引き続き引き出されるようになっている。引き出しを再び閉じる場合には、引き出しは、連行体が傾倒部材によって捉えられるまで移動させられる。続いて、予め緊張されているばねが、引き出しを閉鎖位置へ引っ張るようになっている。この場合に引き出しの強い衝突を防止するために、引き込み運動はダンパーを用いて制動されるようになっている。
【０００３】
美観的な理由から取手なしの引き出しが求められる傾向にある。しかしながら、引き込み装置を備える公知の引き出しは、引き出しをばねの作用下で閉鎖位置に保持しているので、取手なし又はつかみ部なしにはまだ引き出され得ない、つまり開けられ得ないままの状態である。
【０００４】
本発明の課題は、冒頭に述べた形式の引き出し装置に改良を加えて、引き出し若しくは同等の引き出し要素の操作性を高めることである。
【０００５】
前記課題を解決するために、本発明の構成によれば、連結片に、押し出し装置が間接的に若しくは直接に連結されるようになっており、押し出し装置のスライド片が押し出し装置の操作に際して作動されるようになっている。押し出し装置により、引き出しは、閉鎖位置から、部分的に押し出された部分開放位置へ走行させられ、つまり移動させられるようになっている。この場合に、スライド片が有効になり、引き出しを移動させる。これにより、部分的に開かれた引き出しは、例えばその前板をつかまれて、更に開かれた開放位置へ引き出されるようになる。
【０００６】
本発明に係る引き込み装置においては、ダンパーが、送り出し位置から引き込み位置への連結片の移動運動を減衰又は制動するようになっていることにより、制御された閉鎖運動が得られるようになっている。
【０００７】
本発明の有利な形態によれば、連結片は、スライド片の送り出し位置において、つまりスライド片がその送り出し位置にある場合に、作動装置又は操作装置（例えばスリット状の案内又はガイド、案内（ガイド）に対してほぼ垂直に延びる切欠き部又は案内延長部、案内内に案内された案内要素）を用いて駐留位置又は係留位置に保持されており、この場合に、スライド片は、駐留位置又は係留位置に保持されている連結片に対して相対的に移動可能になっている。
【０００８】
本発明の形態によれば、押し出し装置の規定された運動経過を得るために、押し出し装置のスライド片が、その押し込み位置（走入位置）と押し出し位置（走出位置）との間で移動可能になっている。
【０００９】
本発明の形態によれば、引き込み装置を簡単かつ安価な構造で形成するために、押し出し装置は、ばね要素を有しており、ばね要素（例えばコイルばね）は、スライド片にその押し込み位置で荷重（ばね力、例えば押圧力）を掛けている。ばね要素は、押し出し装置の操作に際して、引き出しの閉鎖位置で、ばね要素のばねエネルギーをスライド片に付与するようになっている。これにより、引き出しは、部分的に開かれた位置へ移される。
【００１０】
本発明の特に有利な形態によれば、押し出し装置は、押し込み位置の解消又は解除のための過行程機構を有し、つまりスライド片がその規定された押し込み位置を超えて移動できるための過行程機構を有している。これにより、引き込み装置は特に容易に操作できるようになっている。押し出し装置の作動開始（始動）のために、引き出しの構成に対応して、例えば引き出し正面を押すだけで、過行程機構が操作されるようになっている。
【００１１】
本発明の有利な形態によれば、押し出し装置は、支持体を有し、支持体に配置された制御要素、特にラッチを備えており、制御要素は、押し出し位置から押し込み位置へのスライド片の移動に際して、有効になり、つまり、押し出し装置の押し棒を、スライド片の所定の移動距離又は押し込み行程にわたって、係止部に対してロックするようになっており、制御要素若しくはラッチは、支持体に対するスライド片の相対的な移動を可能にしており、これにより、作動（レリーズ）された押し出し装置が再びエネルギーを蓄積（チャージ）されるようになっている。
【００１２】
押し出し装置の意図しない作動開始を防止するために、スライド片は、本発明の有利な形態によれば、スライド片の押し込み位置ではロック片を用いてロック（確保又は位置固定）されるようになっている。
【００１３】
本発明の別の有利な形態によれば、押し出し装置の制御要素が、引き出しの閉鎖に際して、押し出し装置の押し出し位置から押し込み位置への所定の位置で、例えば外枠に組み付けられる遮断要素又は係止要素によりロックされるようになっており、つまり直進的な戻り運動を阻止（遮断）されるようになっている。引き込み装置の確実な作動は、制御要素が、押し出し装置の押し込みを、連結片の、ばねにより生ぜしめられる移動の少なくとも部分領域において阻止するようになっていることにより保証される。制御要素は、本発明の形態によれば、押し出し装置の結合部分若しくはホルダーに枢着されたレバー、レバーの枢着側とは逆の側の端部に配置された回転可能な走行ローラ（転動ローラ）及びロックローラにより形成されており、走行ローラは、引き出し装置のベース部材の内部に収容された遮断要素又は係止要素の制御カムと協働し、かつロックローラは、有利には結合部分若しくはホルダーと相対して配置されたロック片若しくは成形部分の走行面（転動面）及び対向面と協働するようになっている。
【００１４】
押し出し装置の操作は、押し出し装置の制御要素が、押し出し装置の係止解除のために、引き出しの引き込み位置において支持部分に対して移動させられることにより、つまり、支持部分との係合を解除されることにより、行われるようになっている。
【００１５】
引き出し（或いは引き戸若しくは開き戸又は旋回式戸或いは開き窓又は旋回式窓等）の操作のための方法において、本発明の前記課題を解決するために、本発明の構成によれば、引き出しの閉鎖位置で押し出し装置が始動（作動開始）され、該押し出し装置によって引き出しがその閉鎖位置から、部分的に開かれる部分開放位置へ移動され、次いで、部分開放位置からの引き出しの引き続く移動に際して、ばねが応力又は引張り力を発生させるようになっている。
【００１６】
引き出し等の操作のための方法において、押し出し装置は、引き出しの閉鎖位置からの容易な開放のために用いられる。引き出しを部分開放位置から更に引き出す場合に、引き出し運動は、ばねの応力又は引張り力の発生（エネルギー蓄積）のために用いられ、ばねは、後で、閉鎖位置への引き出しの引き込みに際して応力を放出する、つまりエネルギーを消費するようになっている。
【００１７】
上述の作動過程を特に容易に実施するために、本発明の有利な形態によれば、部分開放位置からの引き出しの開放中に、連結片が、引き込み位置から引き出し位置へ移され、引き出し位置の達成に際して、連結片は、駐留位置（ばね係留位置）へ移され、かつ押し出し装置と連結片との間の連結が解除される。
【００１８】
引き出しの閉鎖位置若しくは押し出し装置の押し込み位置からの押し出し装置の始動（レリーズ又はトリガー）のために、過行程機構が操作され、これにより特に、取手なしの引き出しの簡便な操作が達成される。
【００１９】
引き出しの開かれた位置若しくは開放位置或いは部分的に開かれた位置若しくは部分開放位置から閉鎖位置へ向かう方向での引き出しの移動に際して、押し出し装置をその押し出し位置（走出位置）から押し込み位置（走入位置）へ移す場合に、押し出し装置は、引き出しの閉鎖に伴って押し込み位置へ移されるようになっており、つまり、押し出し装置の押し込み位置への戻し移動行程は、引き出しの必然の運動過程に組み込まれていて、煩わしい追加的な操作を必要とすることなしに、極めて簡便に、即ち操作容易に行われるものである。
【００２０】
本発明の有利な形態によれば、押し出し装置は、押し出し装置の戻し移動行程若しくは引き出しの閉鎖過程を緩やかに行うために、ばねを用いて引き出しの閉鎖位置へ引っ張られると同時に、ダンパーを用いて制動され又は減衰される。
【００２１】
押し出し装置のエネルギー蓄積のために、つまり、押し出し装置のばね要素、例えばコイルばねの圧縮のために、押し出し装置は、引き出し等の閉鎖に際して、制御要素と共に遮断要素に向かって移動させられる。このような構成は、少ない構成費用を可能にするものである。
【００２２】
本発明の有利な形態によれば、制御要素は、家具外枠の内側で遮断要素上を走行させられ、このような構成により、確実な操作が保証され、操作部位が保護されるようになっており、更に、使用者が引き込み装置を誤りなく、再現性をもって正確にかつ容易に操作できるようになっている。
【００２３】
本発明の有利な形態によれば、押し出し装置は、連結片がばねにより引き込まれる直前に、押し出し位置から押し込み位置へ移される。
【００２４】
次に、本発明を図示の実施形態に基づき詳細に説明する。
【図面の簡単な説明】
【００２５】
【図１】引き込み装置を１つの作動位置で示す断面図である。
【図２】引き込み装置を別の作動位置で示す断面図である。
【図３】引き込み装置を更に別の作動位置で示す断面図である。
【図４】引き込み装置を更に別の作動位置で示す断面図である。
【図５】引き込み装置を更に別の作動位置で示す断面図である。
【図６】引き込み装置を更に別の作動位置で示す断面図である。
【図７】引き込み装置を更に別の作動位置で示す断面図である。
【図８】引き込み装置を更に別の作動位置で示す断面図である。
【図９】引き込み装置を更に別の作動位置で示す断面図である。
【図１０】引き込み装置を更に別の作動位置で示す断面図である。
【００２６】
図１は、引き込み装置を示しており、該引き込み装置は、例えば引き出しに用いられるものである。考えられる他の実施形態では、本発明に係る引き込み装置は、可動の建物構成部分、例えばドア、フラップ、開き戸又は旋回式戸若しくは旋回式窓等にも用いられるものである。引き込み装置は、ベース部材４０及びケーシング１０を含んでおり、該ベース部材（ベース構成要素）及びケーシングは、例えば図示省略の本体若しくは家具外枠に取り付けられるようになっている。本発明に係る引き込み装置は、更に押し出し装置２０を有しており、該押し出し装置は、引き出し（同じく図示省略）に取り付けられるようになっている。
【００２７】
ケーシング１０は、建物本体や家具外枠への取り付けを可能にするためのねじ受容部１１．１を備えている。更にケーシング１０は、互いに平行に離間された２つの側壁１１を有しており、該側壁には、案内１１．２が加工成形されている。案内１１．２は、ケーシング１０の長手方向に延びるスリット状の貫通部を有しており、該貫通部は、幅が広げられた切欠き部１１．２１に通じている。切欠き部１１．２１は、案内１１．２のスリット状の貫通部の長手方向に対してほぼ直角に延びている。両方の側壁１１の案内１１．２は、互いに合致して、即ち相対して整合しており、つまり互いに鏡面対称に形成されている。
【００２８】
ケーシング１０内にはダンパー１２が収容されている。ダンパー１２は、流体式減衰器又は流体式緩衝器として、有利にはエアダンパーとして形成されている。エアダンパーを用いる利点として、破損の際に液体漏れの発生がなく、引き出し内収容物を汚すおそれが発生しない。ダンパー１２は、シリンダー１２．６及び該シリンダー内に受容されたピストン１２．２を有しており、ピストン１２．２は、シリンダー１２．６内を図１に示してある押し込み位置（走入位置）から、走出方向へ移動させられ、つまり引き出されるようになっている。ピストン１２．２の戻り運動（走入移動）に際して、ピストン１２．２は、エアクッションに抗して働くようになっており、この場合に空気圧は連続的に放圧される。このために、図示の実施形態ではシリンダー１２．６の端部内に配置された挿入体１２．３に、圧縮される空気を連続的に逃がして制御する小さな開口部が設けられている。ピストンロッド１２．１は、該ピストンロッドの、挿入体１２．３とは逆の側の端部にヘッド部分１２．４を有しており、該ヘッド部分は旋回支承部１２．５を形成している。旋回支承部１２．５には、旋回要素若しくは傾倒要素として形成された連結片１３が旋回可能に保持されている。連結片１３の旋回運動は、図２の図平面に対して垂直に延びる旋回軸線を中心として行われる。連結片１３に、ばねホルダー１３．１が配置されており、該ばねホルダーは、ばね１４の一方の端部を保持している。ばね１４の他方の端部は、ケーシング側に掛けられている。
【００２９】
連結片１３は、前記旋回軸線に対して距離を置いて配置されたトリガー１３．２を有している。連結片１３には、更に連行体１３．４が設けられており、該連行体は、ばね要素１３．５を介してアーム１３．３に一体成形されている。連行体１３．４に、押し出し装置２０の結合部分３０が解離可能に結合されるようになっている。
【００３０】
押し出し装置２０の結合部分３０は、連結片１３との解除可能な継手を形成するものである。このために、結合部分３０は、ホルダー３２と該ホルダーに設けられたラッチ３３とを有しており、ラッチ３は、トリガー１３．２と連行体１３．４との間に係合するようになっている。更にホルダー３２が、旋回支承部３４を介して、レバーの形の制御要素３５を保持している。制御要素３５は、ホルダー３２とは逆の側の自由な端部に回転可能な走行ローラ３７及び回転可能なロックローラ３８を備えている。制御要素３５には、旋回支承部３４とロックローラ３８との間にストッパー３６が一体成形されている。ホルダー３２に支持体３１が接続されている。
【００３１】
支持体３１の、ホルダー３２とは逆の側の端部に、ねじ結合部を介して押し棒２４が保持されている。このために、押し棒２４はその雄ねじ２４．１で以て支持体３１の雌ねじ内にねじ込まれている。押し棒２４は係止リング２４．２を保持している。係止リング２４．２は、押し棒２４の支承受容部内に、周方向回転自在に保持されている。係止リング２４．１は係止要素を有しており、該係止要素は、中空円筒状に形成されたスライド片２１の内部に設けられた制御カム２３内に案内されている。制御カム２３は、スライド片２１の内壁に加工成形された溝によって形成されている。押し棒２４の係止リング２４，２と制御カム２３とは、過行程機構を形成している。過行程機構の機能は、ノック式ボールペンのノック機構の機能に相当するものであり、この場合に、押し棒２４が、ノック式ボールペンのノック機構（ラチェット機構とも称される）のノックヘッドに対応するものである。スライド片２１内には、コイルばねにより形成されたばね要素２２が収容されていて、座屈しないように中空円筒部の壁によって案内されている。
【００３２】
ホルダー３２は、旋回支承部３４を形成するヒンジピンで以て、直線案内部３４．１内にスライド可能に案内されている。直線案内部３４．１を形成する構成部材は、制御要素３５のための対向面３９．１及び走行面３９．１を形成する成形部分３９を有している。ベース部材４０は、図示の実施形態では家具外枠に取り付けられるものであり、取り付け部品若しくは装着部品とも称され、横断面でＵ字形に形成されていて、固定部分４１を有しており、該固定部分（取り付け部分）は、家具外枠へのねじ結合のための孔４３を備えている。固定部分４１には壁部分４２が垂直につながっている。壁部分４２、固定部分４１及び、固定部分４１に対して平行に延びる別の壁部分が、一体成形されて斜めに延びる係止面４６と支持部分４７とを保持している。更に、遮断要素４４が、固定部分４１に旋回可能に支承されていて、重力及び／又はばね要素により、図１に示す出発位置に保たれている。遮断要素４４は、互いに逆方向に向けられた２つの制御カム４４．１，４４．２を有している。
【００３３】
次に、図１〜図１０に基づき、本発明の引き込み装置の機能を詳細に説明する。
【００３４】
図１は、引き込み装置の出発位置を示しており、該出発位置では、引き出しは閉鎖位置にある。引き出しの閉鎖位置若しくは引き出し装置の出発位置は、連結片１３が引き込み位置にある位置をなしている。過行程機構は係止位置（ロック位置）にあり、つまり、係止リング２４．２が制御カム２３の係止付加部にロックされている。係止要素又は遮断要素の機能を有する制御要素３５が、ホルダー３２と協働するストッパー３５．１により、係止解除位置に保たれている。過行程機構の作動のために、過行程Ｕｅが、例えば引き出し前面を介して本来の引き出し閉鎖運動の方向に導入される。過行程Ｕｅは、引き出しとねじ結合されているスライド片２１に伝達される。これにより、スライド片２１が、過行程Ｕｅの方向へばね要素２２の応力又は圧縮力に抗して押し棒２４に対して相対的にわずかな距離にわたって移動させられる。その結果、制御カム２３における係止リング２４．２の係止位置（ロック位置又は固定位置）が解消又は解除され、つまり、係止リング２４．２が、制御カム２３における係止位置から持ち上げられ、即ち係止位置を超えて移動させられ、かつ周方向に回動させられて、制御カム２３の直線区分に達する。過行程Ｕｅを実施するためには、ラッチ３３は、トリガー１３．２に支えられている。
【００３５】
今、押された引き出しが、押し力を除かれると、係止リング２４．２と制御カム２３との間の係止結合部の係止解除に基づき、スライド片２１が、その押し込み位置（図４）から押し出し位置（走出位置）へ移され、即ち移動させられる。この移動Ｓは、押し込み位置では応力を受けていて、つまり図示の実施形態では圧縮されていてスライド片２１を押圧しているばね要素２２によって行われる。
【００３６】
図２は押し出し位置を示している。上記移動（運動）により、スライド片２１が、ひいてはスライド片２１と連結された引き出しが、第１の部分開放位置へ移動させられる（図２）。
【００３７】
スライド片２１の移動に際して、ホルダー３２及び、該ホルダーに結合された支持体３１は、停止したままであるのに対して、直線案内部３４．１が（図１で左側へ）移動させられる。この移動運動Ｓは、制御要素３５のストッパー３６を用いて、該ストッパーが対向面３９．１に当接することにより制限されるようになっている。移動運動が制限された位置は、図２に示してある。
【００３８】
図２に示す位置が達せられると、引き出しは容易につかまれて、手動で、別の部分開放位置へ部分的に引き出され、或いは完全に開かれる開放位置へ完全に引き出されるようになる。この場合に、引き出しに連結されている押し出し装置も開放方向Ｏｅに運動させられる。連結片１３がラッチ３３に連結され、ひいては押し出し装置２０に連結されているので、連結片１３も開放方向Ｏｅ（図３、参照）に運動させられる。この場合に、連結片１３は案内１１．２により案内される。連結片１３は、ダンパー１２のピストンロッド１２．１を連行し、ひいてはピストン１２．２を移動させるようになっている。これに伴って、ばねに応力が形成され、つまり、ばねが図示の実施形態では引っ張られ、即ち引き伸ばされる。この場合に、連結片１３は、案内１１．２内に案内されている連行体１３．４が切欠き部１１．２１の領域に達するまで、押し出し装置２０によって引っ張られる。旋回軸１２．５に対して離心的に作用するばね１４により、連結片１３が、旋回軸１２．５を中心として傾倒（旋回）させられ、連行体１３．４が切欠き部１１．２１内へ入り込むことになる。これにより、連行体１３．４はホルダー３２との係合を解除される。つまり、押し出し装置２０と連結片１３との間の結合が解除されるので、引き出しは、引き続き、図４に示してあるように、自由に引き出され、つまり走出することになる。この場合に、走行ローラ３７は、係止要素４４の制御カム４４．１上を転動して、係止要素４４を変位させ、つまり、係止要素４４を重力方向と逆方向に上方へ持ち上げ、即ち上方旋回させるようになっている。走行ローラ３７が、係止要素４４を通過して、係止要素３５が、取り付け部品４０の開口部４５を通って取り付け部品４０から離れることになる。
【００３９】
図４は別の部分開放位置を示している。
【００４０】
引き出しの閉鎖（閉鎖方向Ｓ）の場合には、つまり、引き込み装置と組み合わされた押し出し装置の、図４の位置から図５の位置への移行の場合には、走行ローラ３７は、引き出しの閉鎖方向での走行ローラ３７の走行を阻止する遮断要素４４の制御カム４４．２にぶつかることになる。そこで、走行ローラ３７は、図６に示してあるように、ロックローラ３８が走行面３９．２にぶつかるまで、重力方向と逆方向に移動する、つまり制御カム４４．２上に乗り上げることになる。これにより、結合部分３０は、もはや閉鎖方向Ｓに移動できなくなる。その結果、閉鎖運動Ｓが発生し、つまり、押し棒２４がスライド片２１内に押し込まれ、その際にばね要素２２が、押し棒２４をその係止位置（係止リング２４．２と制御カム２３とにより規定される位置）に到達させるまで、圧縮される。これにより、押し込み装置２０は、再び緊締されて、つまりエネルギーを蓄積されて、押し込み装置自体の押し込み位置を占めている。この過程において、ロックローラ３８は、走行面３９．２上を、該走行面の、対向面３９．１の側の端部に向かって転動して、走行面３９．２と対向面３９．１との間の移行部のエッジ３９．３を超えて走行することになる。
【００４１】
上記過程において、制御要素３５が、図７に示してあるように、遮断要素４４上を走行する走行ローラ３７によって、制御要素３５の遮断位置（移動阻止位置）へ旋回させられる。これにより、ロックローラ３８は、対向面３９．１に接触していて、押し込み装置の押し込み位置からの意図することのないレリーズ（トリガー）を阻止して、つまりロックしている。
【００４２】
図７に示してあるように、ラッチ３３は、押し込み装置２０が緊締された直後に、トリガー１３．２にぶつかり、該トリガーを、旋回支承部１２．５を中心として傾倒（旋回）させるようになっている。これにより、トリガー１３．２の案内要素１３．６が、案内１１．２の延長部をなす切欠き部１１．２１から走出され、その結果、連結片１３が解放される。つまり、案内要素１３．６が、案内１１．２のスリット状の貫通部の領域に達して、ばね１４が連結片１３を引き込み位置へ引き戻すことになる。引き戻し運動は、ダンパー１２によって減衰される。連結片１３の連行体１３．４により、ラッチ３３が引っ張られ、つまり連行される（図８、参照）。これにより、引き出しも、スライド片２１を介して自動的に閉鎖位置へ引っ張られる。図８及び図９に示す運動過程において、走行ローラ３７が、取り付け部品４０に設けられた支持部分４７を超えて走行することになる。引き出しの閉鎖位置では、制御要素３５が、図１０に示してあるように、重力及び／又はばね作用により、支持部分４７の下側の領域へ降下する、つまり下方旋回するようになっている。図１０は、引き込み装置を、図１と同様に、その出発位置で示しており、該出発位置では、引き出しは新たな次の開放のための準備完了状態に移されている。
【００４３】
ケーシング１０及び取り付け部品４０は、一般的に、家具等の外枠に取り付けられている。しかしながら、ケーシング及び取り付け部品を引き出しに取り付けることも考えられる。この場合には、押し出し装置２０は、引き出しとは別の家具構成部分に配置される。
【００４４】
本発明に係る装置は、側方に、つまり、引き出し運動方向に延びる１つ若しくは両方の引き出し壁（引き出し側板）の領域に配置されてよい。引き込み案内は、引き出しの走出案内の構成部分であってよい。本発明に係る装置は、中央（両方の引き出し側板間の中間の部位）で、引き出し底板の下側に配置されてもよいものである。この場合には、例えば押し出し装置２０は、引き出し底板の下側で引き出し前板に保持されている。ケーシング１０が側方で家具外枠に配置されている。これらの構成部分間の連結は、結合リンクとして横桁若しくは引き出しを用いて行われる。
【符号の説明】
【００４５】
１０  ケーシング、  １１  側壁、  １１．１  ねじ受容部、  １１．２  案内、  １１．２１  切欠き部、  １２  ダンパー、  １２．２  ピストン、  １２．３  挿入体、  １２．４  ヘッド部分、  １２．５  旋回支承部、  １２．６  シリンダー、  １３  連結片、  １３．１  ばねホルダー、  １３．２  トリガー、  １３．３  アーム、  １３．４  連行体、  １３．５  ばね要素、  １３．６  案内要素、  １４  ばね、  ２０  押し出し装置、  ２１  スライド片、  ２２  ばね要素、  ２３  制御カム、  ２４  押し棒、  ２４．１  雄ねじ、  ２４．２  係止リング、  ３０  結合部分、  ３１  支持体、  ３２  ホルダー、  ３３  ラッチ、  ３４  旋回支承部、  ３４．１  直線案内部、  ３５  制御要素、  ３６  ストッパー、  ３７  走行ローラ、  ３８  ロックローラ、  ３９  成形部分又はロック片、  ３９．１  対向面、  ３９．２  走行面、  ４０  ベース部材、  ４１  固定部分、  ４２  壁部分、  ４３  孔、  ４４  遮断要素、  ４４．１，４４．２  制御カム、  ４５  開口部、  ４６  係止面、  ４７  支持部分
【図１】
0005606519.tif 000002
【図２】
0005606519.tif 000003
【図３】
0005606519.tif 000004
【図４】
0005606519.tif 000005
【図５】
0005606519.tif 000006
【図６】
0005606519.tif 000007
【図７】
0005606519.tif 000008
【図８】
0005606519.tif 000009
【図９】
0005606519.tif 000010
【図１０】
0005606519.tif 000011